(57)【要約】【課題】従来の照明装置は、複数のＬＥＤが直列に点灯回路（駆動回路）に接続されており、何れかのＬＥＤまたはＬＥＤ間の配線に短絡や断線等の故障を生じた場合、該故障の生じた系統に属する全てのＬＥＤに電源が供給されず、照明不能となるという問題があった。【解決手段】複数の光源を環状に配設してなる照明装置であって、前記複数の光源は複数の光源グループに分けられ、該複数の光源グループ毎に電源を供給する電源供給部を備えてなる構成とした。これにより、複数の光源が配設された照明装置において、何れかの光源または光源間の配線等に故障を生じた場合でも、故障の生じていない系統の光源グループを点灯させることにより、照明を継続させることが可能となる。【選択図】図１
2009252555.tif 000002
【特許請求の範囲】
【請求項１】
複数の光源を環状に配設してなる照明装置であって、
該複数の光源は複数の光源グループに分けられ、該複数の光源グループ毎に電源を供給する電源供給部を備えてなることを特徴とする照明装置。
【請求項２】
環状に配設した複数の光源と、該複数の光源に電源を供給する電源供給部とを備える照明装置であって、
該複数の光源は複数の光源グループに分けられ、前記電源供給部は、いずれかの前記光源グループに故障が生じても照明を継続可能とすべく、いずれかの光源グループに独立して電源を供給することを特徴とする照明装置。
【請求項３】
前記複数の光源グループは、各光源グループの全光束が等しくなるように形成してなることを特徴とする、請求項１又は請求項２のいずれか一つに記載の照明装置。
【請求項４】
前記複数の光源グループは、光源グループ毎に異なる色又は色温度で照明することを特徴とする、請求項１から請求項３のいずれか一つに記載の照明装置。
【請求項５】
前記光源は、ＬＥＤ光源を複数配設してなるＬＥＤモジュールであることを特徴とする、請求項１から請求項４のいずれか一つに記載の照明装置。
【請求項６】
前記光源から発生する熱を外部に放熱する放熱部をさらに備え、
該放熱部は、前記光源を配設するための配設部を有していることを特徴とする請求項１から請求項５のいずれか一つに記載の照明装置。
【請求項７】
前記電源供給部は、前記複数の光源グループ毎に一定量の電流を供給するための複数の定電流回路を備え、
該複数の定電流回路の各々は、前記複数の光源グループ毎に接続されてなることを特徴とする、請求項１から請求項６のいずれか一つに記載の照明装置。
【発明の詳細な説明】
【技術分野】
【０００１】
本発明は、光源を複数備えた照明装置に関し、特に複数の光源を複数の光源グループ毎に電源を供給して照明する照明装置に関するものである。
【背景技術】
【０００２】
近年、光源にＬＥＤ（Ｌｉｇｈｔ  Ｅｍｉｔｔｉｎｇ  Ｄｉｏｄｅ）を用いた照明装置の開発が行われている。このようなＬＥＤを光源とする照明装置を用いて、従来の白熱電球や蛍光管を用いた照明装置と同程度の光量にて照明を実現するためには、ＬＥＤ１個あたりの発光量が少ないことから、複数のＬＥＤを用いて照明装置を構成する必要がある（例えば、特許文献１参照）。
【０００３】
なお、前記特許文献１には、図１９に示すように、直列に接続された複数のＬＥＤ９０と、該ＬＥＤ９０に電源を供給して点灯させる点灯装置（電源供給部）９１とを備えた照明装置９２が記載されている。
【特許文献１】特開２００７−２３４４０３号公報
【発明の開示】
【発明が解決しようとする課題】
【０００４】
しかし、特許文献１に記載の照明装置９２では、複数のＬＥＤ９０が直列に点灯装置９１に接続されており、何れかのＬＥＤ９０またはＬＥＤ９０間の配線に断線等の故障が生じた場合、全てのＬＥＤ９０に電源が供給されず、照明が不能となるという問題があった。
【０００５】
本発明は、上記問題に鑑みてなされたものであり、複数の光源が配設された照明装置において、何れかの光源または光源間の配線等に故障が生じた場合でも、一部の照明を継続させることを可能とすることを目的とする。
【課題を解決するための手段】
【０００６】
本発明の照明装置は、複数の光源を環状に配設してなる照明装置であって、該複数の光源は複数の光源グループに分けられ、該複数の光源グループ毎に電源を供給する電源供給部を備えてなることを特徴とする。
【０００７】
本発明にあっては、複数の光源が配設された照明装置の何れかの光源または光源間の配線等に故障を生じた場合でも、照明を継続させることが可能となる。
【０００８】
本発明の照明装置は、環状に配設した複数の光源と、該複数の光源に電源を供給する電源供給部とを備える照明装置であって、該複数の光源は複数の光源グループに分けられ、前記電源供給部は、いずれかの前記光源グループに故障が生じても照明を継続可能とすべく、いずれかの光源グループに独立して電源を供給することを特徴とする。
【０００９】
本発明にあっては、複数の光源が配設された照明装置のいずれかの光源または光源間の配線等に故障を生じた場合でも、照明を継続させることが可能となる。
【００１０】
本発明の複数の光源グループは、さらに、各光源グループの全光束が等しくなるように形成してなることを特徴とする。
【００１１】
本発明にあっては、各光源グループの全光束が等しくなるため、系統毎に照明する際に同等の光量にて照明することが可能となる。
【００１２】
本発明の複数の光源グループは、さらに、光源グループ毎に異なる色又は色温度で照明することを特徴とする。
【００１３】
本発明にあっては、各光源グループで色又は色温度が異なるため、多彩で複雑な照明をすることが可能となる。
【００１４】
本発明の光源は、さらに、ＬＥＤ光源を複数配設してなるＬＥＤモジュールであることを特徴とする。
【００１５】
本発明にあっては、全光束が増加することで、明るい照明が可能となる。
【００１６】
本発明の照明装置は、さらに、前記光源から発生する熱を外部に放熱する放熱部をさらに備え、該放熱部は、前記光源を配設するための配設部を有していることを特徴とする。
【００１７】
本発明にあっては、効率的な放熱を行うことにより、光源の短寿命化の防止が可能となる。
【００１８】
本発明の電源供給部は、さらに、前記複数の光源グループ毎に一定量の電流を供給するための複数の定電流回路を備え、該複数の定電流回路の各々は、前記複数の光源グループ毎に接続されてなることを特徴とする。
【００１９】
本発明にあっては、定電流回路を光源グループ毎に直列に接続することで、定電流回路及び照明装置の小型化を図ることが可能となる。
【発明の効果】
【００２０】
本発明の照明装置によれば、複数の光源を複数の光源グループに分け、該光源グループ毎に電源を供給し光源を駆動するため、複数の光源が配設された照明装置において、何れかの光源または光源間の配線等に故障を生じた場合でも、故障の生じていない系統の光源グループを点灯させることにより、照明を継続させることが可能となる。
【発明を実施するための最良の形態】
【００２１】
以下、本発明の照明装置の実施の形態について、図１から図３を用いて説明する。なお、図１は本発明の照明装置の実施の形態を示す斜視図、図２は図１のＡ方向の矢視図、図３は図１のＢ方向の矢視図である。
【００２２】
本発明の照明装置１は、図１から図３に示すように、複数の光源であるＬＥＤモジュール２０を円環状に配設してなる光源部２と、前記ＬＥＤモジュール２０へ電源を供給する電源供給部３と、前記光源部２から生じる熱を外部へ放熱するための放熱部４と、前記照明装置２を例えば住宅の天井などに取り付けるための支持部５とからなる。
【００２３】
上記構成において、光源部２は、円環状に等間隔で配設された光源である６個のＬＥＤモジュール２０と、該ＬＥＤモジュール２０の発する光を反射して導くための反射板２１と、前記ＬＥＤモジュール２０及び反射板２１を保護するための光源保護部材である略円盤状で無色透明のアクリル板２２と、照明装置１を取り付けた際に前記放熱部４及び支持部５が使用者から視認されないよう美観を保つための外装体２３を備えてなるものである。
【００２４】
また、上記構成において、前記ＬＥＤモジュール２０は、基板上に複数（本実施の形態においては３６個）のＬＥＤ光源としての青色ＬＥＤベアチップを配設し、該青色ＬＥＤベアチップの表面に、さらに、該青色ＬＥＤベアチップの発する青色に相当する周波数の光の一部を吸収して黄色に相当する周波数の光を発する黄色蛍光体層を設けた構成となっている。ＬＥＤベアチップを多数配設したＬＥＤモジュールを複数配設した構成とすることで、従来の照明装置と同程度の全光束を得ることができる。
【００２５】
さらにまた、反射板２１は、６個の前記ＬＥＤモジュール２０が出射する光のうち、照明装置前方ｄに対して所定の角度以上の角度を有する光を反射して照明装置前方ｄへと導くための椀状形状を有する椀部２１ａを６個備え、該６個の椀部２１ａはそれぞれ、前記６個のＬＥＤモジュール２０の発光部２０ａが各椀部２１ａの光取り出し孔２１ｂに納められるような間隔で設けられている。
【００２６】
なお、本発明の説明中で照明装置前方ｄとは、照明装置１の光源の配設される面に対して垂直で、かつ、放熱部４から光源部２へと向かう方向を指すものである。
【００２７】
そして、前記電源供給部３は、光源に電源を供給する電源ブロック３１と、該電源ブロック３１と前記光源部２の各光源グループとを接続するための配線を束ねた接続線３２と、前記電源ブロック３１を放熱部４に取り付けるための取付部材３３を備えてなるものである。
【００２８】
なお、前記接続線３２は、該接続線３２内部での断線を防ぐために、前記電源ブロック３１と光源部２の各光源グループとを接続する配線を束ねたものを、伸縮性を有する素材からなる外装部材３２ａで包み、さらに、螺旋形状を有し金属素材からなり該外装部材３２ａを覆うことで外部の衝撃から配線を保護する配線保護部材３３ｂを備えている。外装部材３２ａ及び配線保護部材３２ｂにより２重に保護することにより、より確実に配線を外傷から保護できることになる。特に、螺旋形状を有する金属性の配線保護部材により、照明装置が取り付けられる天井内に生息する鼠が配線を齧ることによって配線が損傷することを防止することができる。
【００２９】
また、前記取付部材３３は、前記接続線３２を通すために放熱部４の配設板４２の中心に設けられた配線用孔４２ａに埃が侵入を防止するための埃侵入防止用天板３４を備えている。
【００３０】
なお、図３において、一点鎖線の左側は前記埃侵入防止用天板３４を除いた場合の照明装置１が記載されている。
【００３１】
さらに、前記放熱部４は、アルミダイキャストによって形成されており、複数の放熱フィン４１と、配設板４２とを備えてなるものである。なお、前記配設板４２は、光源部側の面に光源１０及び反射板２１を配設するための配設部４２ｂを有する。
また、前記照明装置１は、前記支持部５である板バネ５１が、放熱部４に等間隔で放射状に３個配設されてなるものである。
【００３２】
次に、照明装置１の構成について図４及び図５詳細に説明する。図４は本発明の照明装置の実施の形態の部分断面図である。図５は図４のＬＥＤモジュール２０周辺の部分拡大図である。
【００３３】
図４に示すように、照明装置１の光源であるＬＥＤモジュール２０は、放熱部４の配設板４２と反射板２１との間で、前記ＬＥＤモジュール２０の発光部２０ａが前記反射板２１の椀部２１ａの光取り出し孔２１ｂに納められるように固定される。前記配設板４２上の光源位置決め突起４２ｃが前記ＬＥＤモジュール２０の光源位置決め孔２０ｂに挿入されることによって、前記ＬＥＤモジュール２０の位置決めが為されることで、前記ＬＥＤモジュール２０の発光部２０ａが前記椀部２１ａに設けられた光取り出し孔２１ｂに納まる状態を維持して固定される。さらに、放熱部４の光源位置決め突起４２ｃがＬＥＤモジュール２０の基板に設けられた光源位置決め孔２０ｂ内に挿入されることによってＬＥＤモジュール２０の位置決めが為される。
【００３４】
また、後述するように放熱部４の配設板４２と反射板２１はネジにより固定されていることで、配設板４２、ＬＥＤモジュール２０及び反射板２１の位置関係が維持されるので、照明装置に対して外力が加わっても、ＬＥＤモジュール２２の発光部２０ａが光取り出し孔２１ｂとずれて光量が減少することを防止することができる。
【００３５】
なお、前記椀部２１ａは、ＬＥＤモジュール２０の発光部２０ａから発せられる光を集光し照明装置前方ｄへと向かわせるために、照明装置前方ｄへ向かうにつれて拡径する椀状形状に設計されており、ＬＥＤモジュール２０に近い光取り出し孔２１ｂ付近において、前記配設板４２の光源位置決め突起４２ｃとの衝突を避けるための湾曲部２１ｃが設けられている。
【００３６】
さらになお、ＬＥＤモジュール２０は、複数のＬＥＤベアチップ及び蛍光体層からなる面光源であるが、前記椀部２１ａの椀状形状は、前記ＬＥＤモジュール２０の光が全て前記発光部２０ａの中心点から出ている点光源と仮定して、該中心点から出射される光が従来のダウンライトと同様の指向性を有するべく、シミュレーションにて最適な形状を求めることで設計されたものである。
【００３７】
さらに、前記ＬＥＤモジュール２０及び反射板２１は、前記ＬＥＤモジュール２０と反射板２１の椀部２１ａとの間に隙間が存在しないよう、互いにできる限り接近して配設することが好ましい。望ましくは、図４及び図５に示すように、光取り出し孔２１ｂ内にＬＥＤモジュール２０の発光部２０ａの層が入っていることが好ましい。前記ＬＥＤモジュール２０からの光が、前記ＬＥＤモジュール２０と反射板２１の椀部２１ａとの間に生じた隙間から漏れることを防ぎ、照明装置１からの照明照射される光量に低下の低下を防ぐことができる。
【００３８】
また、前記反射板２１は反射板２１内に４箇所設けられた反射板取付凹部２１ｄにて、配設板のネジ孔４２ｄとネジ２１ｓとからなる第１の螺合機構により前記放熱部４の配設板４２に固定されてなるものである。
【００３９】
さらに、前記反射板２１の照明装置前方ｄに設けられた光源保護部材であるアクリル板２２は、該アクリル板２２の周縁に設けられた係合段差２２ａと外装体２３に設けられた係合段差２３ａとからなる係合機構により固定される。
【００４０】
また、前記外装体２３は前記反射板２１及び放熱部４の周りを囲む周壁２３ｂに設けられたネジ孔２３ｃと放熱部４側面に設けられたネジ孔４ａとネジ２３ｓによる第２の螺合機構により連結されてなるものである。
【００４１】
そして、放熱部４の放熱フィン４１の一部には電源ブロック３１を放熱部４に取り付けられるための取付部材３３があり、該取付部材３３はネジ３３ｓによって放熱部４に取り付けられるものである。
【００４２】
また、前記取付部材３３は、前記接続線３２を通すための配線用孔４２ａに埃が侵入しないよう防止するための埃侵入防止用天板３４を備えており、該埃侵入防止用天板３４はネジ３４ｓにて前記取付部材３３に取り付けられるものである。
【００４３】
なお、前記埃侵入防止用天板３４は、配設板４２に対して傾斜を有しており、これによって、照明装置１をダウンライトとして使用した場合、照明装置前方ｄが鉛直下向きとなり、ＬＥＤモジュール２０からの熱を帯びた空気が鉛直上向き、即ち照明装置後方（照明装置前方ｄの逆方向）に流れた際、埃の侵入を防ぎつつ、前記熱を帯びた空気の流れが円滑になるという効果がある。
【００４４】
さらに、前記支持部５を構成する３つの板バネ５１は、略Ｖ字状を成す板バネであり、放熱部４の側面に取り付けられる取付部５１０を一側に、該一側に向けて凸状に湾曲している円弧状の押圧部５１１を他側に有している。
【００４５】
なお、天井に取り付けるための取付孔に照明装置１を挿入したとき、前記板バネ５１の弾性変化に応じて生じる弾性力により、板バネ５１の押圧部５１１が取付孔の上縁部に斜め上から押し付けられて天井に下方向の力が作用し、その反作用によって照明装置１は上方向の力を受け、前記外装体２３の縁が天井の下面に圧着することになり、この結果、照明装置１が天井に固定される。
【００４６】
また、前記取付部５１０が放熱部４の側面に設けられたネジ孔４ｂとネジ５１ｓによる第３の螺合機構により、各板バネ５１が等間隔で放射状になるよう取り付けられる。
【００４７】
次に、図６及び図７を用いて、前記反射板２１の椀部２１ａの形状の設計方法について詳細に説明する。図６は本発明の照明装置１の反射板２１の椀部２１ａの形状について説明する説明図、図７は図６の２種類の形状の椀部の照度分布について比較して説明する説明図である。
【００４８】
図６（ａ）及び（ｂ）に示す通り、光源であるＬＥＤモジュール２０から出射された光を照明装置前方ｄに対して角度θの方向に反射させる場合、２種類の形状の椀部２１０ａ、２１１ａがある。
【００４９】
椀部２１０ａの場合、椀部２１０ａの一方の側へ入射した光は椀部２１０ａの他方の側へと方向を変えるべく反射される。一方、椀部２１１ａの場合、椀部の一方の側へ入射した光はそのまま一方の側へ向かうよう反射されるため、方向はわずかにしか変わらない。
【００５０】
前記椀部２１０ａ、２１１ａのどちらの形状においても、光源から放射された光をθ方向に反射させることができるが、前記椀部２１０ａを用いた場合、前記椀部２１１ａよりも形状を小さくすることが可能となり、前記椀部２１０ａを用いることによって、反射板２１の形状の小型化を図ことができる。
【００５１】
なお、前記椀部２１０ａを用いた場合、ＬＥＤモジュール２０の中心から出射された光で椀部２１０ａにて反射された光は、焦点ｆに集められるため、照射範囲が椀部２１１ａを用いた場合よりも狭くなるという問題がある。
【００５２】
しかし、図７に示す通り、本発明の実施の形態にて説明する照明装置は、例えばダウンライトとして約２〜３ｍ先の物体や床面を照らすのに使用され、且つ、その距離に比べて椀部の形状は約１〜３ｃｍ四方と十分小さいため、照射面６１のように至近距離で照明する場合は照射範囲が狭いが、照射面６２のようにある程度（本実施例においては約２〜３ｍ）離れて照明する場合は照射範囲の差は殆どなくなる。
【００５３】
次に、反射板２１とアクリル板２２、及び、反射板２１と放熱部４の位置決め方法について、図８から図１３を用いて説明する。図８は本発明の照明装置の実施の形態の反射板２１の底面図、図９は本発明の照明装置の実施の形態の反射板２１の平面図、図１０は図８の反射板２１のＡ−Ａ線断面図、図１１は図９の反射板２１のＢ−Ｂ線断面図、図１２は本発明の照明装置の実施の形態の放熱部４の底面図、図１３は図１２の放熱部４のＣ−Ｃ線断面図である。
【００５４】
既に詳細に説明したように、反射板２１は、反射板正面２０１に４箇所設けられた反射板取付凹部２１ｄにて、放熱部４の配設板４２にネジ留め固定されるが、取り付けの際の位置決めは、図８から図１１に示すように、反射板背面２０２の周辺に３箇所設けられた反射板位置決め突起２１ｅ及び反射板背面２０２の中心に設けられた反射板中央凹部２１ｆによって行われる。
【００５５】
さらに、反射板正面２０１には光源保護部材であるアクリル板２２の位置決めのための光源保護部材位置決め突起２１ｆが３箇所設けられており、前記アクリル板２２は前記光源保護部材位置決め突起２１ｆに対応する凹部にて、位置決めが為される。
【００５６】
また、放熱部４の配設板４２には、図１２及び図１３に示すように、前記反射板取付凹部２１ｄに対応する位置に、取り付けに用いられるネジ２１ｓを受けるためのネジ孔４２ｄが４箇所設けられており、また、反射板位置決め突起２１ｅに対応する位置に反射板位置決め凹部４２ｅが３箇所設けられている。
【００５７】
さらに、前記配設板４２には、光源であるＬＥＤモジュール２０の位置決めのための光源位置決め突起４２ｃが各ＬＥＤモジュールに２個ずつ、合計１２個設けられている。
【００５８】
次に、前記照明装置１の回路及び配線について、図１４及び図１５を用いて説明する。図１４は本発明の照明装置の実施の形態の回路説明図、図１５は本発明の照明装置の実施の形態の配線説明図である。
【００５９】
本発明の照明装置の電源ブロック３１内の駆動回路３１ａは、図１４に示す通り、外部電源３００からの交流を全波整流する整流回路であるダイオードブリッジ３０１と、全波整流された電圧を平滑化する平滑回路である平滑コンデンサ３０２と、光源であるＬＥＤモジュール２０に一定量の電流を供給するための定電流回路３０３とからなる。
【００６０】
ここで、６個の前記ＬＥＤモジュール２０は、３個のＬＥＤモジュール２０を１つの光源グループとして、２つの光源グループに分けられ、前記電源ブロック３１に異なる系統で接続されている。
【００６１】
なお、前記定電流回路３０３としては、周知の定電流回路、例えば、三端子レギュレータを用いた定電流回路や、ツェナーダイオードを用いた定電流回路、また、トランス（変圧器）を含み、該トランスをスイッチング制御することで光源であるＬＥＤモジュール２０へ定電流の供給を実現する定電流回路などが考えられる。
【００６２】
また、実際に照明装置１に施される配線は、図１５に示す通り、同じ系統に属する３個のＬＥＤモジュール２０は隣接して接続される構成となっている。各ＬＥＤモジュール２０間を接続する配線２０ｃが最短になり、断線等の故障を極力惹起されないような構成となっている。
【００６３】
さらに、各系統と電源モジュールを接続するための配線２０ｄは全て、配設板４２中央付近に設けられた配線用孔４２ａを通り、接続線３２に束ねられて電源ブロック３１に接続される。
【００６４】
なお、隣り合うＬＥＤモジュール２０は互いに異なる系統になるように配線しても良く、そのような配線で照明装置１がどちらか一方の系統のみで点灯している場合、使用者から照明装置１を見ると、光源が等間隔で環状に並んでいるように視認できるため、均一な照明が可能となり、また、美観を損なわない。
【００６５】
また、他の実施の形態として、図１６に示すように、系統毎に定電流回路を設けた配線としても良い。この場合、特に定電流回路の一部に変圧回路部としてトランスを用いるような定電流回路を使用する場合においては、前記トランスは各系統の電流量に対応した小型のトランスを複数個用意すればよく、照明装置全体の大電流に対応する大型のトランスを用意する必要がないため、照明装置の小型化が図ることができる。
【００６６】
以上説明したように、本発明によれば、２系統でＬＥＤモジュール２０を制御することによって、どちらか一方の系統に短絡や断線等の故障が発生して場合であっても、他方の系統によって制御されるＬＥＤモジュール２０のグループは点灯を継続させることが可能となる。
【００６７】
さらに、系統毎で点灯を制御することが可能となるため、例えば、最初の点灯でどちらか一方の系統のＬＥＤモジュール２０のみを点灯させ、次の点灯の際には他方の系統のＬＥＤモジュール２０を点灯し、点灯する際に交互に系統を切り替える制御を行うことで、各ＬＥＤモジュール２０の使用時間が節約できるため、照明装置として長寿命化を図ることができる。
【００６８】
そして、ＬＥＤモジュール２０が配設板４２の中心を避けるよう環状に配設されることで、ＬＥＤモジュール２０から発生する熱が配設板４２の中心に蓄積されることを防ぎ、効率的に外部に放熱することが可能となる。
また、ＬＥＤモジュール２０を放熱部４の配設板４２に直接配設されることで、ＬＥＤモジュールから発生する熱が効率的に放熱部４へと伝導し外部に放熱されるため、ＬＥＤベアチップの短寿命化を惹起する高温化を防ぐことができる。
【００６９】
さらにまた、系統毎に個別にトランスを用いるような回路を使用している場合においては、前記トランスは各系統の電流量に対応した小型のトランスを複数個用意すれば良く、照明装置全体の大電流に対応する大型のトランスを用意する必要がないため、照明装置の小型化が図ることができる。
【００７０】
本発明の照明装置の実施の形態において、６個のＬＥＤモジュール２０は全て同じＬＥＤモジュールを使用したが、これに限定されるものではなく、前記ＬＥＤモジュール２０の色温度を系統毎に変化させ、例えば一方の系統では色温度が約５０００Ｋ（昼白色）、他方の系統では色温度が約２８００Ｋ(電球色)であるＬＥＤモジュールを用いても良い。その場合、使用者の好みや時間帯によって照明の色温度を変化させることが可能となる。
【００７１】
また、本発明の照明装置の実施の形態において、照明装置１は、６個のＬＥＤモジュールについて、３個のＬＥＤモジュールを直列に接続したものを１つの光源グループとして、２つの光源グループを異なる系統で制御する２系統制御を行っていたが、これに限定されるものではなく、２個のＬＥＤモジュールを直列に接続したものを１つの光源グループとして、３つの光源グループを異なる系統で制御する３系統制御を行っても良い。例えば、色温度が３種類（昼光色（色温度約６５００Ｋ）、昼白色、電球色）のＬＥＤモジュールを用意して、時間帯に合わせて変化するよう制御したり、赤色ＬＥＤの系統、緑色ＬＥＤの系統及び青色ＬＥＤの系統の３系統で制御したりすることで多彩で複雑な照明が可能となる。
【００７２】
そして、本発明の照明装置の実施の形態において、ＬＥＤモジュール２０は、放熱部４の配設板４２に設けられた光源位置決め突起４２ｃとＬＥＤモジュール２０の光源位置決め孔２０ｂによって位置決めされると説明したが、これに限定されるものではなく、光源位置決め突起４２ｃをネジ孔として、光源位置決め用ネジとの螺合機構によって光源を固定しても良い。その場合、前記光源位置決め用ネジは、光源位置決め孔２０ｂより大きなネジ頭を有し、ＬＥＤモジュール２０を放熱部４の配設板４２に密着させるような構成とすることが好ましい。密着させることにより、熱伝導性を高め、放熱性の向上効果が図ることができる。
【００７３】
さらに、本発明の照明装置の実施の形態において、照明装置１は、６個のＬＥＤモジュールを円環状に配設した例を用いて説明したが、これに限定されるものではなく、多角形環状に配設しても良いし、異なる半径を持つ複数の円環状に配設しても良く、例えば、第１の系統に属するＬＥＤモジュールを半径の小さい円環状に配設し、第２の系統に属するＬＥＤモジュールを半径の大きい円環状に配設しても良い。
【００７４】
また、本発明の照明装置の実施の形態において、光源としてのＬＥＤモジュール２０は、ＬＥＤ光源としての青色ＬＥＤベアチップを複数配設した例を用いて説明したが、これに限定されるものではなく、前記青色ＬＥＤベアチップがカップ状の筐体に納められた青色ＬＥＤ素子や、その他各種のＬＥＤ素子を用いても良い。いずれにしても、複数のＬＥＤ光源を用いることによって、明るい照明が可能となる。
【００７５】
さらに、本発明の照明装置の実施の形態において、光源保護部材として無色透明のアクリル板を用いて説明したが、これに限定されるものではなく、白色で半透明、また、その他の色で半透明のアクリル板でも良いし、材質もアクリルに限られるものではない。白色で半透明、また、その他の色で半透明のアクリル板を用いることにより、光源からの光をその他の多様な色に変換して照明に用いることができる。
【００７６】
そして、本発明の照明装置の実施の形態において、照明装置１は、支持部５である板バネ５１を３個備えたダウンライトであるが、これに限定されるものではなく、支持部５を照明方向可変の構成としたスポットライトとして使用しても良い。
【００７７】
また、本発明の照明装置の実施の形態において、照明装置１は、６個のＬＥＤモジュールについて３個を１グループとして直列に接続することで２系統制御を行っていたが、これに限定されるものではなく、４個のＬＥＤモジュールについて２個を１グループとして２系統制御を行っても良く、照明装置１個あたりのＬＥＤモジュールの個数を減らすことで、低コストに照明装置を作ることができる。その際の放熱部の配設板は、図１７に示す配設板４２０のように、光源位置決め突起が各ＬＥＤモジュールに２個ずつ、合計８個設けられたものとなる。
【００７８】
そして、本発明の照明装置の実施の形態において、放熱部４の配設板４２は、６個のＬＥＤモジュールに対応した光源位置決め突起を１２個備えていたが、これに限定されるものではなく、図１８に示す配設板４２１のように、６個のＬＥＤモジュールを配設する場合の光源位置決め突起と、４個のＬＥＤモジュールを配設する場合の光源位置決め突起の両方を備えていても良く、そうすることで、６個のＬＥＤモジュールを配設する場合と４個のＬＥＤモジュールを配設する場合の両方を生産する場合に放熱部４が共用することができるため、低コスト化が図ることができる。
【００７９】
なお、図１８に示すようなＬＥＤモジュール６個配設、４個配設を兼用できる光源位置決め突起を備えた配設板４２１を用いる場合、光源であるＬＥＤモジュールは、使用しない位置決め突起に重ならない程度の大きさ、形状であることが好ましい。
【図面の簡単な説明】
【００８０】
【図１】本発明の照明装置の実施の形態を示す斜視図である。
【図２】図１の方向Ａからの矢視図である。
【図３】図１の方向Ｂからの矢視図である。
【図４】本発明の照明装置の実施の形態の部分断面図である。
【図５】図４のＬＥＤモジュール周辺の部分拡大図である。
【図６】本発明の照明装置の反射板の椀部の形状の説明図である。
【図７】図６の２種類の形状の椀部の照度分布の説明図である。
【図８】本発明の照明装置の実施の形態の反射板の底面図である。
【図９】本発明の照明装置の実施の形態の反射板の平面図である。
【図１０】図８のＡ−Ａ線断面図である。
【図１１】図９のＢ−Ｂ線断面図である。
【図１２】本発明の照明装置の実施の形態の放熱部の底面図である。
【図１３】図１２のＣ−Ｃ線断面図である。
【図１４】本発明の照明装置の実施の形態の回路説明図である。
【図１５】本発明の照明装置の実施の形態の配線説明図である。
【図１６】本発明の照明装置の他の実施の形態の回路説明図である。
【図１７】本発明の照明装置の他の実施の形態の放熱部の底面図である。
【図１８】本発明の照明装置の他の実施の形態の放熱部の底面図である。
【図１９】従来の照明装置の概略回路図である。
【符号の説明】
【００８１】
２  光源部
３  電源供給部
４  放熱部
５  支持部
２０  ＬＥＤモジュール（光源）
２１  反射板
２２  アクリル板（光源保護部材）
２３  外装体
３１  電源ブロック
３２  接続線
３３  取付部材
３４  埃侵入防止用天板
４１  放熱フィン
４２、４２０、４２１  配設板
５１  板バネ
５１０  取付部
５１１  押圧部
【図１】
2009252555.tif 000003
【図２】
2009252555.tif 000004
【図３】
2009252555.tif 000005
【図４】
2009252555.tif 000006
【図５】
2009252555.tif 000007
【図６】
2009252555.tif 000008
【図７】
2009252555.tif 000009
【図８】
2009252555.tif 000010
【図９】
2009252555.tif 000011
【図１０】
2009252555.tif 000012
【図１１】
2009252555.tif 000013
【図１２】
2009252555.tif 000014
【図１３】
2009252555.tif 000015
【図１４】
2009252555.tif 000016
【図１５】
2009252555.tif 000017
【図１６】
2009252555.tif 000018
【図１７】
2009252555.tif 000019
【図１８】
2009252555.tif 000020
【図１９】
2009252555.tif 000021